(57)【要約】      （修正有）【課題】ソーラパネルと照明灯とを一体構成として取付を簡易にすると共に、ソーラパネルによる発電を効率よく行えるようにした照明装置を提供する。【解決手段】傾斜板１６及びこの傾斜板１６に連なりかつ傾斜板１６の側縁部側を電柱１２に当接して固定する係止部材１８を有する支持体１４と、傾斜板１６の一面に装着されたソーラパネル２８と、傾斜板１６の他面に、変位可能に装着された保護体３０と、保護体３０に装着され、ソーラパネル２８の電力を蓄電するバッテリと、保護体３０に装着され、バッテリの電力により点灯する照明灯とを備えた。【選択図】図１
0003142236.tif 000002
【実用新案登録請求の範囲】
【請求項１】
傾斜板及びこの傾斜板に連なりかつ傾斜板の側縁部側を電柱に当接して固定する係止部材を有する支持体と、
前記傾斜板の一面に装着されたソーラパネルと、
前記傾斜板の他面に、変位可能に装着された保護体と、
前記保護体に装着され、前記ソーラパネルにより発電された電力を蓄電するバッテリと、
前記保護体に装着され、前記バッテリに蓄積された電力により点灯する照明灯と
を備えたことを特徴とする照明装置。
【請求項２】
請求項１に記載の照明装置において、
前記保護体は横断面がほぼ半円形の筒体からなり、
前記傾斜板の側縁部は前記保護体に対して間隔が開くように配置されていることを特徴とする照明装置。
【請求項３】
請求項１又は２に記載の照明装置において、
前記傾斜板と前記保護体とは、前記傾斜板の隅部に設けた透孔と前記保護体の周面に沿って設けた複数の透孔の内の任意の透孔との間に掛け渡されたねじにより着脱自在に固定されたことを特徴とする照明装置。
【請求項４】
請求項１乃至３のいずれかに記載の照明装置において、
前記係止部材は、前記傾斜板に連なりかつ電柱に当接される当て部材と、前記当て部材に設けられた貫通孔に挿通されて電柱に巻き付ける取付バンドとから構成したものであることを特徴とする照明装置。
【請求項５】
請求項１乃至４のいずれかに記載の照明装置において、
前記照明灯は、帯状の基台に長さ方向に順次配設した複数の発光ダイオードとこれらの発光ダイオードを覆うように配置した蒲鉾状のレンズとを備えた蒲鉾型発光体の一対を並列に並べて円筒状透明体内に収容してなるものであることを特徴とする照明装置。
【考案の詳細な説明】
【技術分野】
【０００１】
本考案は、屋外の電柱などに取り付けられて昼間のソーラパネル（太陽電池）により発電された電力を使用して照明を行う照明装置に関する。
【背景技術】
【０００２】
市街地などにおいては、人が往来する道路に照明装置が通常設置され、夜間になると照明灯が点灯して道路を照らし、歩行者などの行き来の安全を図ることが一般に行なわれている。従来から、できるだけ安価に設置して使用できる屋外用の照明装置として、電灯線を敷設せずにソーラパネルを照明灯の上部に設置し、昼間にソーラパネルで発電した電力をバッテリに充電し、その電力を夜間に使用して発光ダイオード付きの照明灯を点灯させるものが提案されている（例えば、特許文献１及び特許文献２参照）。
【特許文献１】特開２００３−５１２０８号公報
【特許文献２】特開２００４−２８１３２７号公報
【考案の開示】
【考案が解決しようとする課題】
【０００３】
しかしながら、従来の照明装置は、太陽光線がよく当たるようにソーラパネルを電柱や支柱の頂部に設置する構造であった。このため、照明灯を、電柱のほどよい高さに設置するには、照明灯とソーラパネルとを切り離しリード線で連結した構成としている。そして、太陽光線が電柱や支柱により遮られないようにソーラパネルを電柱や支柱の頂部に設置すると共に、照明灯を路面を照らすように取り付ける必要がある。このため、電柱や支柱の高所での取付工事が煩雑になるという課題があった。
【０００４】
本考案は、上述の課題を解決するものであり、ソーラパネルと照明灯とを一体構成として取付を簡易にすると共に、ソーラパネルによる発電を効率よく行えるようにした照明装置を提供することを目的とする。
【課題を解決するための手段】
【０００５】
以下の構成はそれぞれ上記の課題を解決するための手段である。
〈構成１〉
傾斜板及びこの傾斜板に連なりかつ傾斜板の側縁部側を電柱に当接して固定する係止部材を有する支持体と、上記傾斜板の一面に装着されたソーラパネルと、上記傾斜板の他面に、変位可能に装着された保護体と、上記保護体に装着され、上記ソーラパネルにより発電された電力を蓄電するバッテリと、上記保護体に装着され、上記バッテリの電力により点灯する照明灯とを備えたことを特徴とする照明装置。
【０００６】
各部品が支持体及び保護体を介して一体とされているから、係止部材で係止するだけで既設の電柱に簡単に設置することができる。しかも、傾斜板の片方の側縁部側を電柱に当接して固定するので、ソーラパネルを電柱の頂部以外の任意の高さに設置できる。
【０００７】
〈構成２〉
構成１に記載の照明装置において、上記保護体は横断面がほぼ半円形の筒体からなり、上記傾斜板の側縁部は上記保護体に対して間隔が開くように配置されていることを特徴とする照明装置。
【０００８】
保護体の放熱性をよくして照明灯や太陽光線などにより保護体に蓄積した熱が傾斜板を介してソーラパネルに伝わることを回避できる。
【０００９】
〈構成３〉
構成１又は２に記載の照明装置において、上記傾斜板と上記保護体とは、上記傾斜板の隅部に設けた透孔と上記保護体の周面に沿って設けた複数の透孔の内の任意の透孔との間に掛け渡されたねじにより着脱自在に固定されたことを特徴とする照明装置。
【００１０】
太陽光線がソーラパネルに効率よく当たるように、保護体に対するソーラパネルの位置調整が簡単にできる。
【００１１】
〈構成４〉
構成１乃至３のいずれかに記載の照明装置において、上記係止部材は、上記傾斜板に連なりかつ電柱に当接される当て部材と、上記当て部材に設けられた貫通孔に挿通されて電柱に巻き付ける取付バンドとから構成したものであることを特徴とする照明装置。
【００１２】
取付バンドを電柱に巻き付け固定するだけで、ソーラパネル及び照明灯を同時に電柱に設置できる。
【００１３】
〈構成５〉
構成１乃至４のいずれかに記載の照明装置において、上記照明灯は、帯状の基台に長さ方向に順次配設した複数の発光ダイオードとこれらの発光ダイオードを覆うように配置した蒲鉾状のレンズとを備えた蒲鉾型発光体の一対を並列に並べて円筒状透明体内に収容してなるものであることを特徴とする照明装置。
【００１４】
発光ダイオードの設置数を増やして照度をアップできる。
【考案を実施するための最良の形態】
【００１５】
以下、本考案の実施の形態を実施例毎に詳細に説明する。
【実施例１】
【００１６】
図１は実施例１の照明装置１０を電柱１２に取り付けた状態を示す正面図、図２は同平面図、図３は同側面図、図４は照明装置１０の要部を示す斜視図、図５は同要部の縦断面図である。
照明装置１０は、傾斜板１６及び係止部材１８を有する支持体１４と、傾斜板１６の一面に装着されたソーラパネル２８と、傾斜板１６の他面に装着された保護体３０と、保護体３０に装着されたバッテリ３２と、保護体３０に装着された、円筒状の照明灯３４とを備えている。
【００１７】
保護体３０は横断面がほぼ半円形の筒体により形成されている。ただし、本考案において保護体の横断面がほぼ半円形の筒体には、保護体の横断面が楕円形、その他の周面が湾曲した形状の筒体を含むものとする。
【００１８】
係止部材１８は、傾斜板１６と、傾斜板１６に連なる当て部材２０と、当て部材２０を電柱１２に固定する取付バンド２４とから構成されている。傾斜板１６は、保護体３０より大きい曲率半径で湾曲している。当て部材２０は、傾斜板１６と同じ幅の板体を下向きのコ字状に折り曲げた形状を呈し、その片方の側縁部２０Ａが電柱１２に当接されて配置されるものである。
【００１９】
傾斜板１６の片方の側縁部２０Ａを電柱１２に当接して配置するということは、傾斜板１６を、電柱１２の側面から電柱１２に対してほぼ垂直に突出する状態で配置することである。こうすれば、照明灯３４を照明すべき路面に向けると共に、ソーラパネル２８に当たる太陽光線が電柱１２で遮られない。すなわち、ソーラパネル２８を電柱１２の頂部以外の任意の高さに配置できる。
【００２０】
当て部材の片方の側縁部２０Ａが電柱１２に当接されて配置されている状態では、照明灯３４が斜め下向きになり、ソーラパネル２８が斜め上向きとなっている。取付バンド２４は当て部材２０の中間部に設けられた貫通孔２２に挿通されて電柱１２に巻き付けて支持体１４を固定するものである。
【００２１】
ソーラパネル２８は、図６に示すように、基板２８Ａに、薄肉シート状のソーラパネル本体２８Ｂを貼り付け、必要に応じて、紫外線カット用の特殊プラスチックシート（図示せず）を貼り付けて構成されている。ただし、本考案においては、傾斜板１６に直接ソーラパネル本体２８Ｂを貼り付けたものも含むものとする。ソーラパネル２８は実質的に傾斜板１６と一体構成である。符号２８Ｃは、ソーラパネル２８とバッテリ３２とを電気的に接続するためのリード線を示している。
【００２２】
図７は、傾斜板１６及びソーラパネル２８と保護体３０との取付状態を示す説明図で、（ａ）は傾斜板１６及びソーラパネル２８を、保護体３０の背面の中央部に取付けた状態を示している。（ｂ）と（ｃ）は、傾斜板１６及びソーラパネル２８を、それぞれ保護体３０の背面の左、右に取付けた状態を示している。
【００２３】
傾斜板１６及びソーラパネル２８は、保護体３０より大きい曲率半径で湾曲しており、保護体３０に対して中央部が最も接近し側縁部が間隔が開くように配置されている。こうすることにより、保護体３０の放熱性をよくして照明灯３４や太陽光線などにより保護体３０に蓄積した熱が傾斜板１６を介してソーラパネル２８に伝わることを回避できる。
【００２４】
傾斜板１６及びソーラパネル２８と保護体３０とは、図７（ａ）に示すように、傾斜板１６及びソーラパネル２８の隅部に設けた透孔３７と保護体３０の周面に設けた透孔３８との間に掛け渡されたねじ４０によりスペーサ４１を介して着脱自在に固定されている。スペーサ４１は、傾斜板１６及びソーラパネル２８の側縁部と保護体３０の側縁部との間隔を保持する役割がある。
【００２５】
保護体３０の透孔３８は、保護体３０の周面に沿って複数箇所に設けられている。ねじ４０は、傾斜板の隅部の透孔３７と保護体３０の複数の透孔のうち任意の透孔との間に掛け渡される。保護体３０の周面に設けられた複数の透孔３８を、図示のように横向きの長孔とすることにより、ねじ４０の取付位置をより自由に選択することができる。
【００２６】
照明装置１０が電柱１２に取り付けられたとき、ソーラパネル２８は、図１に示されるように水平面より３０°の角度で傾斜した状態で太陽に対面していることが太陽光線を効率よく受光する上で好ましい。このため、照明装置１０が電柱１２に取り付けられたとき、ソーラパネル２８を一体に支持する支持体１４の傾斜板１６が水平面より３０°の角度で傾斜した状態となるように構成されている。
【００２７】
傾斜板１６及びソーラパネル２８の、保護体３０に対する取付位置を、取付環境に応じて図７に示すように左右に変えて太陽光線がよく当たるようにすることができる。すなわち、太陽光線が図７中、真上から射す場合は、傾斜板１６及びソーラパネル２８を図７（ａ）に示すように中央に取付けるようにする。太陽光線が図７中、斜め左又は斜め右から射す場合は、傾斜板１６及びソーラパネル２８を、図７の（ｂ）又は（ｃ）に示すように太陽光線に向けてそれぞれ取付ければよい。
【００２８】
保護体３０の内側に、照明灯３４、バッテリ３２、制御回路３３、点灯制御センサ等が装着され、それぞれ常法により電気的に接続されている。
【００２９】
照明灯３４は、図８に示すように一対の蒲鉾型発光体４８を並列に並べて円筒状透明体５０内に収容したものである。蒲鉾型発光体４８は、図９に示すように、帯状の基台４２に配設した複数の発光ダイオード４４とこれらの発光ダイオード４４を覆うように配置した蒲鉾状のレンズ４６とから構成されている。蒲鉾型発光体４８を一対使用することにより、発光ダイオード４４を一列に設置した通常の照明灯に比べて、発光ダイオード４４の設置数を増やして照度をアップできる。符号４７は、発光ダイオード４４から発生した光線を示している。
【００３０】
上記構成の照明装置１０を電柱１２に取り付ける際には、照明灯３４で道路を正しく照らすようにしたとき、ソーラパネル２８に向う太陽光線が電柱１２により遮られないようにすることが必要である。このため、照明装置１０を、電柱１２の、太陽光線が当たる側に取付固定する。そして、傾斜板１６及びソーラパネル２８を、保護体３０の、太陽光線が最大限当たる面に取り付けるようにする。
【００３１】
図１０に上記構成の照明装置の電気系統図を示している。
照明装置１０は、図１０に示すように、ソーラーパネル２８の電力で動作する。昼間、ソーラーパネル２８は太陽光を受けて発電する。ソーラーパネル２８により発電された電力はバッテリ３２に蓄積される。夜間、照明灯３４はバッテリ３２に蓄積された電力により点灯する。点灯制御センサ３５は、照明灯３４を夜間にのみ点灯させるよう制御する。制御回路３３は、これらの回路の動作タイミングを制御するスイッチ制御回路である。点灯制御センサ３５の出力信号は、制御回路３３に対して、昼間と夜間の明るさの変化を検知して両者を区別する制御信号を出力する。制御回路３３は、昼間は、ソーラーパネル２８の出力をバッテリ３２に入力させて、バッテリ３２を充電する。また、制御回路３３は、夜間、バッテリ３２と照明灯３４とを接続して、照明灯３４を自動的に点灯させる。なお、周囲が暗くなってソーラーパネル２８の出力電圧が低下ししたときに、照明灯３４を点灯させる制御も可能である。このときは、点灯制御センサ３５は不要になる。また、ソーラーパネル２８には、光を透過して熱を反射するフィルムを貼り付けることが好ましい。これにより、発電効率を高めることができる。
【００３２】
照明装置１０は、図１に示すように電柱１２の側面に配置し、取付バンド２４を電柱１２に巻き付け固定するだけで、ソーラパネル２８及び照明灯３４を同時に電柱１２に設置できる。各部品が支持体１４及び保護体３０を介して一体とされているから、係止部材１８で係止するだけで既設の電柱１２に簡単に設置することができる。しかも、傾斜板１６の側縁部側を電柱１２に当接して固定するので、ソーラパネル２８を電柱１２の任意の高さに設置できる。
【実施例２】
【００３３】
図１１は実施例２の照明装置に使用する照明灯を示す正面図である。実施例１の図に示した部分と共通する部分には同一符号を付して重複説明を省略する。
この実施例は、照明灯３４を、保護体３０内に横向きに配置したものである。この場合、照明灯３４は、図４に示したような縦向きに配置された照明灯より短尺で、かつ３本使用されている。
照明灯を横向きに配置することにより、実施例１と比べて照度を増大させて路面を照らす範囲を広げることが可能である。
【実施例３】
【００３４】
図１２は実施例３の照明装置に使用する照明灯を示す断面図である。図８に示した部分と共通する部分には同一符号を付して重複説明を省略する。
この実施例は、照明灯３４を次のように構成したものである。すなわち、照明灯３４として、一対の蒲鉾型発光体４８を、図８に示すように各レンズ４６が互いに接近するように構成したものに対して、各レンズ４６が互いに離れるように構成したものである。
【００３５】
このような照明灯３４は、光照射範囲が広がるので、例えば、図１１に示す照明装置の照明灯に使用することが好ましい。また、上記の照明装置は、垂直に建設された電柱のみならず、電柱や建築物から水平に張り出したアームにも固定することができる。上記の各種の構造を組み合わせ、発光体の形状等を選択すれば、広く道路等を照らす様に取り付けることができる。
【図面の簡単な説明】
【００３６】
【図１】実施例１の照明装置を電柱に取り付けた状態を示す正面図である。
【図２】同平面図である。
【図３】同側面図である。
【図４】同照明装置の要部を示す斜視図である。
【図５】同要部の縦断面図である。
【図６】同照明装置で使用するソーラパネルの説明図である。
【図７】傾斜板及びソーラパネルと保護体との取付状態を示す説明図である。
【図８】同照明装置で使用する照明灯の説明図である。
【図９】同照明灯の具体例を示す斜視図である。
【図１０】同照明装置の電気系統図である。
【図１１】実施例２の照明装置に使用する照明灯を示す正面図である。
【図１２】実施例３の照明装置に使用する照明灯を示す断面図である。
【符号の説明】
【００３７】
１０  照明装置
１２  電柱
１４  支持体
１６  傾斜板
１８  係止部材
２０  当て部材
２０Ａ  側縁部
２２  貫通孔
２４  取付バンド
２６  支持体
２８  ソーラパネル
２８Ａ  基板
２８Ｂ  ソーラパネル本体
２８Ｃ  リード線
３０  保護体
３２  バッテリ
３３  制御回路
３４  照明灯
３５  点灯制御センサ
３７  透孔
３８  透孔
４０  ねじ
４１  スペーサ
４２  基台
４４  発光ダイオード
４６  レンズ
４８  蒲鉾型発光体
５０  円筒状透明体
【図１】
0003142236.tif 000003
【図２】
0003142236.tif 000004
【図３】
0003142236.tif 000005
【図４】
0003142236.tif 000006
【図５】
0003142236.tif 000007
【図６】
0003142236.tif 000008
【図７】
0003142236.tif 000009
【図８】
0003142236.tif 000010
【図９】
0003142236.tif 000011
【図１０】
0003142236.tif 000012
【図１１】
0003142236.tif 000013
【図１２】
0003142236.tif 000014